(57)【要約】【課題】特別な連結部材を用いることなく、金属屋根材本体を容易に縱葺きして施工でき、しかも、連結部分からの雨水の浸入も確実に防止する。【解決手段】棟軒方向と直交する方向に向けて、金属屋根材本体を連結して縱葺きする縱葺き金属製屋根材において、金属屋根材本体１の一側端には、上方に向けて張り出された被嵌合部２（２’）を形成すると共に、他側端には、他の金属屋根材本体１’に形成された上記同様の被嵌合部２（２’）に被せて弾性嵌合する嵌合部３（３’）を形成し、上記被嵌合部２’に嵌合部３を被せて弾性嵌合したときには、上記被嵌合部２’の表面と、上記嵌合部３の裏面との間に部分的に非接触となる水切り空間部４を形成したことを特徴とする。【選択図】図１
2006045763.tif 000002
【特許請求の範囲】
【請求項１】
棟軒方向と直交する方向に向けて、金属屋根材本体を連結して縱葺きする縱葺き金属製屋根材において、
金属屋根材本体の一側端には、上方に向けて張り出された被嵌合部を形成すると共に、他側端には、他の金属屋根材本体に形成された上記同様の被嵌合部に被せて弾性嵌合する嵌合部を形成し、
上記被嵌合部に嵌合部を被せて弾性嵌合したときには、上記被嵌合部の表面と、上記嵌合部の裏面との間に部分的に非接触となる水切り空間部を形成したことを特徴とする縱葺き金属製屋根材。
【請求項２】
請求項１において、
被嵌合部の内側基部に被係止凹所を形成し、嵌合部の外側基部に上記被係止凹所に係止する係止突条を形成したことを特徴とする縱葺き金属製屋根材。
【請求項３】
請求項１又は２の何れかにおいて、
被嵌合部の側端には、外方に向けて延設された延設片を形成し、この延設片の一部に上方に向けて突出された突条部を形成すると共に、この突条部の頂上に嵌合部が密接して嵌合され、上記被嵌合部の表面と、上記嵌合部の裏面との間が非接触となる水切り空間部を更に形成したことを特徴とする縱葺き金属製屋根材。
【発明の詳細な説明】
【技術分野】
【０００１】
本発明は、棟軒方向と直交する方向に向けて、特別な連結部材を用いることなく、金属屋根材本体を連結して縱葺き可能な縱葺き金属製屋根材に関する。
【背景技術】
【０００２】
従来、棟軒方向と直交する方向に向けて縱葺き金属製屋根材を縱葺きするには、屋根の側端に、棟軒方向に向けて長尺な１枚の金属屋根材本体を固定し、この固定された金属屋根材本体の側端に、他の金属屋根材本体の側端を連接又は重合させたうえで、両者を連結し、金属屋根材本体を順に縱葺きして施工するのが一般的である。
【０００３】
ところで、このように縱葺き施工される金属屋根材本体同士の連結手段は、例えば、連接する金属屋根材本体の連結部分に、上方から連結具を被せて嵌合させ、両者を連結するものがある（例えば、特許文献１参照。）。
【０００４】
或いは、一方の金属屋根材本体の側端に、長尺のジョイナーを先ず係合させ、この係合されたジョイナーに他の金属屋根材本体の側端を係合させることで両者を連結するものがある（例えば、特許文献２参照。）。
【特許文献１】特許第２５６２４１１号
【特許文献２】特許第３１８２７２７号
【発明の開示】
【発明が解決しようとする課題】
【０００５】
しかしながら、何れのものでも、縱葺き施工される金属屋根材本体同士を連結するには、連結具或いはジョイナー等の特別な連結部材が必要であるため、部品点数が多くなり、施工も容易にできないという問題があった。
【０００６】
また、金属屋根材本体同士の連結部分から、雨水の浸入を防止することも考慮しなければならない。
【０００７】
本発明は、かかる課題を解決することを目的とするもので、特別な連結部材が不要であるうえ、金属屋根材本体を容易に縱葺きして施工でき、しかも、連結部分からの雨水の浸入も防止可能な縱葺き金属製屋根材を提供する。
【課題を解決するための手段】
【０００８】
上記目的を達成するため、
請求項１に係る縱葺き金属製屋根材は、棟軒方向と直交する方向に向けて、金属屋根材本体を連結して縱葺きする縱葺き金属製屋根材において、金属屋根材本体の一側端には、上方に向けて張り出された被嵌合部を形成すると共に、他側端には、他の金属屋根材本体に形成された上記同様の被嵌合部に被せて弾性嵌合する嵌合部を形成し、上記被嵌合部に嵌合部を被せて弾性嵌合したときには、上記被嵌合部の表面と、上記嵌合部の裏面との間に部分的に非接触となる水切り空間部を形成したことを特徴とする。
【０００９】
このものでは、金属屋根材本体の嵌合部を、他の金属屋根材本体の被嵌合部に嵌合するだけで、隣接する縱葺き金属製屋根材同士を容易に縱葺き施工でき、従来のような特別な連結部材を不要にできる。
【００１０】
また、嵌合部の側端から、仮に雨水が毛細管現象によって吸い上げられても、水切り空間部によって、上記雨水の吸い上げを遮断し、雨水が縱葺き金属製屋根材の裏面に浸入することを防止できる。
【００１１】
請求項２に係る縱葺き金属製屋根材は、請求項１において、被嵌合部の内側基部に被係止凹所を形成し、嵌合部の外側基部に上記被係止凹所に係止する係止突条を形成したことを特徴とする。
【００１２】
このものでは、被嵌合部の被係止凹所に、嵌合部の係止突条が係止されるので、隣接する横葺き金属製屋根材同士を確実に連結して縱葺き施工できる。
【００１３】
請求項３に係る縱葺き金属製屋根材は、請求項１又は２の何れかにおいて、被嵌合部の側端には、外方に向けて延設された延設片を形成し、この延設片の一部に上方に向けて突出された突条部を形成すると共に、この突条部の頂上に嵌合部が密接して嵌合され、上記被嵌合部の表面と、上記嵌合部の裏面との間が非接触となる水切り空間部を更に形成したことを特徴とする。
【００１４】
このものでは、万一雨水が毛細管現象によって吸い上げられても、更なる水切り空間部によって、上記雨水の浸入を遮断し、雨水が縱葺き金属製屋根材の裏面に浸入することを確実に防止できる。
【発明の効果】
【００１５】
本発明によれば、次のような効果がある。
【００１６】
請求項１に係る縱葺き金属製屋根材によれば、金属屋根材本体の嵌合部を、他の金属屋根材本体の被嵌合部に嵌合するだけで、隣接する縱葺き金属製屋根材同士を容易に縱葺き施工でき、従来のような特別な連結部材を不要にできる。
【００１７】
また、嵌合部の側端から、仮に雨水が毛細管現象によって吸い上げられても、水切り空間部によって、上記雨水の吸い上げを遮断し、雨水が縱葺き金属製屋根材の裏面に浸入することを防止できる。
【００１８】
請求項２に係る縱葺き金属製屋根材によれば、被嵌合部の被係止凹所に、嵌合部の係止突条が係止されるので、隣接する横葺き金属製屋根材同士を確実に連結して縱葺き施工できる。
【００１９】
請求項３に係る縱葺き金属製屋根材によれば、万一雨水が毛細管現象によって吸い上げられても、更なる水切り空間部によって、上記雨水の浸入を遮断し、雨水が縱葺き金属製屋根材の裏面に浸入することを確実に防止できる。
【発明を実施するための最良の形態】
【００２０】
以下、本発明に係る縱葺き金属製屋根材Ａを図面に基づき説明する。
【実施例１】
【００２１】
図１は、本発明に係る縱葺き金属製屋根材Ａの一実施例を示す部分斜視図であり、図２は、図１を棟軒方向から見た状態の正面図である。図３は、図１で示した縱葺き金属製屋根材Ａの施工要領を示す概略図であり、図３（ａ）は、縱葺き金属製屋根材Ａが連結される前の状態を示し、図３（ｂ）は、縱葺き金属製屋根材Ａが連結された後の状態を各々示している。
【００２２】
この縱葺き金属製屋根材Ａは、棟軒方向と直交する方向に向けて縱葺きされるものであり、金属屋根材本体１の一側端には、上方に向けて張り出された被嵌合部２を形成すると共に、他側端には、他の金属屋根材本体１’に形成された上記同様の被嵌合部２’に被せて弾性嵌合する嵌合部３を形成して成る。
【００２３】
ここで、金属屋根材本体１に形成される被嵌合部２及び嵌合部３と、他の金属屋根材本体１’に形成される被嵌合部２’及び嵌合部３’とは、便宜上、符号を変えているに過ぎず、両者は実質的には同一である。
【００２４】
また、縱葺き金属製屋根材Ａは、屋根形状に応じて、幅方向には予め一定の長さを有して形成されているが、棟軒方向には予め一定長さを有して形成されるものだけではなく、例えば、長尺の縱葺き金属製屋根材Ａをロール状に巻いて成形されたものを、棟軒方向に所望の長さ分だけ引き出して、その適所で切断して使用することもできる。
【００２５】
金属屋根材本体１は、屋根形状に応じて形成されるため、特に限定されないが、例えば、平板状に形成したり、本実施例のような波板状に形成することは自由である。
【００２６】
被嵌合部２’（２）は、図３（ｂ）の点線枠内に拡大して示すように、金属屋根材本体１（１’）の一側端を上方向へ僅かに立上げた後、再び内側に折り返して、被嵌合部２’（２）の内側基部に被係止凹所５を形成し、この被係止凹所５の上端から鉛直方向に脚片部２１’を形成し、この脚片部２１’上端から外側に向けて僅かに傾斜させて傾斜面２２’を形成したうえで上端に達し、この上端を僅かな円弧状に形成したうえで、外側下方に向けて傾斜面２２’よりも緩やかな勾配に傾斜させて膨出部２３’を形成し、この傾斜部２３’の下端から再び内側に僅かに折り返したうえで、脚片部２１’と平行に下方向へ延びる脚片部２１’を形成し、その下端は、更に外方に向けて金属屋根材本体１’と水平位置となる延設片７が延設されている。
【００２７】
また、この延設片７には、その一部を上方に向けて突出された突条部８を形成して、この被嵌合部２’の外側基部に水切り空間部４ａを形成している。
【００２８】
嵌合部３は、上記被嵌合部２’に被せて弾性嵌合するように形成して成る。
【００２９】
具体的には、金属屋根材本体１の他側端を上方向に向けて上記脚片部２１’に密着するように一旦折り曲げ、更に膨出部２３’の下側に密着して外嵌する程度に膨出させたうえで、そのまま略円形状に湾曲形成し、その下端を脚片部２１’に密着するようにして下方向へと延ばされ、しかも、その遊端は、更に内側に向けて環状に折り返して、被嵌合部２’の内側基部に形成された被係止凹所５に係止する係止突条６を形成している。
【００３０】
上述のように構成した本発明の縱葺き金属製屋根材Ａは、例えば、以下の要領で施工する。
【００３１】
先ず、屋根の野地板等の側端に、棟軒方向に向けて長尺な１枚の縱葺き金属製屋根材Ａ’を、ネジや釘等で上記野地板等の表面に固定する〔図３（ａ）参照。〕。
【００３２】
次いで、この固定された縱葺き金属製屋根材Ａ’の一側端に形成された被嵌合部２’に向けて、本発明の縱葺き金属製屋根材Ａの他側端に形成した嵌合部３を上方から被せて、被嵌合部２’に嵌合部３を弾性嵌合させ、縱葺き金属製屋根材Ａ’の棟軒方向と直交する方向に向けて、本発明の縱葺き金属製屋根材Ａが連結して縱葺きされる〔図３（ｂ）参照。〕。
【００３３】
即ち、被嵌合部２’に嵌合部３を弾性嵌合させたとき、図３（ｂ）の枠内拡大図に示すように、被嵌合部２’の表面と、嵌合部３の裏面との間には、部分的に非接触となる水切り空間部４が形成されることになる。
【００３４】
そのため、嵌合部３と被嵌合部２’の嵌合部分、具体的には、嵌合部３の側端から、仮に雨水が毛細管現象によって吸い上げられても、水切り空間部４によって、上記雨水の吸い上げを遮断し、雨水が縱葺き金属製屋根材Ａの裏面に浸入することを防止できる。
【００３５】
また、万一、嵌合部３と被嵌合部２’の嵌合部分に雨水が毛細管現象によって吸い上げられても、被嵌合部２’の基部に形成された更なる水切り空間部４ａによって、上記雨水の浸入を遮断し、雨水が縱葺き金属製屋根材Ａの裏面に浸入することを確実に防止できる。
【００３６】
なお、この縱葺き金属製屋根材Ａも、ネジや釘等で野地板等の表面に固定しても良い。
【００３７】
そして、これと同じ要領で、他の縱葺き金属製屋根材Ａ…を順次縱葺きして行き、その施工を完了するのである。
【００３８】
このように、本発明の縱葺き金属製屋根材Ａによれば、その嵌合部３を、他の縱葺き金属製屋根材Ａ’の被嵌合部２’に嵌合するだけで、従来のような特別な連結部材を用いることなく、隣接する縱葺き金属製屋根材Ａ、Ａ’同士を容易に縱葺き施工できる。
【００３９】
また、嵌合部３と被嵌合部２’の嵌合部分からの雨水の浸入も、水切り空間部４、４ａによって確実に遮断して防止できる。
【産業上の利用可能性】
【００４０】
本発明は、特別な連結部材を用いることなく、金属屋根材本体を連結して縱葺き可能な縱葺き金属製屋根材として有効に利用することが可能である。
【図面の簡単な説明】
【００４１】
【図１】本発明に係る縱葺き金属製屋根材Ａの一実施例を示す部分斜視図である。
【図２】図１を棟軒方向から見た状態の正面図である。
【図３】図１で示した縱葺き金属製屋根材Ａの施工要領を示す概略図であり、図３（ａ）は、縱葺き金属製屋根材Ａが連結される前の状態を示し、図３（ｂ）は、縱葺き金属製屋根材Ａが連結された後の状態を各々示している。
【符号の説明】
【００４２】
Ａ、Ａ’  縱葺き金属製屋根材
１        金属屋根材本体
２、２’  被嵌合部
３、３’  嵌合部
４、４ａ  水切り空間部
５        被係止凹所
６        係止突条
７        延設片
８        突条部
【図１】
2006045763.tif 000003
【図２】
2006045763.tif 000004
【図３】
2006045763.tif 000005